(57)【要約】  薬剤送達装置および制御部が開示される。薬剤送達装置は、薬剤容器と、プランジャロッドと、弾性部材とを含む。プランジャロッドは、薬剤を放出するための薬剤容器内の摺動可能なストッパと接触する。弾性部材は、薬剤の送達の際にプランジャロッドに力を加えるようために用いられる。加えて、制御部は、弾性部材の誘導特性にしたがってプランジャロッドの送達ストロークの完了を検出するように構成される。
2019530534.tif 000002
【特許請求の範囲】
【請求項１】
薬剤送達装置のための制御部であって、前記薬剤送達装置は、
薬剤容器と、
薬剤を放出するための前記薬剤容器内の摺動可能なストッパと接触する、プランジャロッドと、
前記薬剤の送達の際に前記プランジャロッドに力を加えるために用いられる、弾性部材と、を備え、
前記制御部は、前記弾性部材の誘導特性にしたがって前記プランジャロッドの送達ストロークの完了を検出するように構成される、制御部。
【請求項２】
前記誘導特性は、前記薬剤の前記送達の間における前記弾性部材の周波数変動によって得られる、請求項１に記載の制御部。
【請求項３】
前記周波数変動は、前記弾性部材を含むＬＣ回路に由来する共振周波数に関する、請求項２に記載の制御部。
【請求項４】
前記弾性部材は、コイル形状であり、前記ＬＣ回路の誘導要素に相当する、請求項３に記載の制御部。
【請求項５】
前記ＬＣ回路の共振周波数値のモニタリングが、前記薬剤の前記送達が始まるときに活性化され、前記共振周波数値は、前記プランジャロッドの前記ストロークの前記完了を判定するために連続的にモニタリングされる、請求項４に記載の制御部。
【請求項６】
前記プランジャロッドの前記ストロークの前記完了は、前記共振周波数値が所定の周波数値と等しいまたは所定の周波数値よりも大きいことが検出されたときに判定される、請求項５に記載の制御部。
【請求項７】
前記ＬＣ回路の単位時間当たりの共振周波数差のモニタリングが、前記薬剤の前記送達が始まるときに活性化され、前記単位時間当たりの共振周波数差は、前記プランジャロッドの前記ストロークの前記完了まで連続的にモニタリングされる、請求項４に記載の制御部。
【請求項８】
前記プランジャロッドの前記ストロークの前記完了は、前記単位時間当たりの共振周波数差が実質的に０に等しくなるときに判定される、請求項７に記載の制御部。
【請求項９】
前記制御部は、薬剤送達の進捗を示すためのインディケータを制御する、請求項１に記載の制御部。
【請求項１０】
前記制御部は、前記プランジャロッドの前記ストロークの前記完了を示すために前記インディケータへ信号を送るように構成され、前記インディケータは、所定の遅延時間後に前記薬剤の前記送達の前記完了を示すように構成される、請求項９に記載の制御部。
【請求項１１】
先行する請求項のいずれかに記載の制御部を備える、薬剤送達装置。
【請求項１２】
前記制御部および外部ユニットと通信するように構成される通信ユニットをさらに備える、請求項１１に記載の薬剤送達装置。
【請求項１３】
前記インディケータは、前記薬剤送達装置および／または前記外部ユニット内に配置される、請求項１１または請求項１２に記載の薬剤送達装置。
【請求項１４】
前記所定の遅延時間は、カスタマイズ可能である、請求項１３に記載の薬剤送達装置。
【発明の詳細な説明】
【技術分野】
【０００１】
本発明の分野
本発明は、薬剤送達装置のための制御部に関し、特に、薬剤送達の完了を検出するように構成される制御部に関する。
【背景技術】
【０００２】
関連技術の説明
進歩した薬剤送達装置は、自動機構を特徴として使い易いように開発されてきた。進歩した自動薬剤送達装置は、人為的ミスの危険がほとんどなく、より直感的かつ人間工学的に使用者が使用し得るように、可聴的、触知的、または視覚的な確認を達成するように機械的に設計される。
【０００３】
文献ＥＰ２５８３７１０Ａは、このような進歩した自動薬剤送達装置を開示している。使用者が薬剤送達装置の近位端部を押す間に自動注入が開始され、針が注入領域に侵入することを可能にし、その後、この使用者は機械音によって注入が完了したことに気付き得る。このように、進歩した自動薬剤送達装置は、使用者が注入のプロセスを容易に遂行することを可能にする。
【発明の概要】
【発明が解決しようとする課題】
【０００４】
しかしながら、機械的薬剤送達装置は、あまり正確でなく適応可能でない場合がある。たとえば、この機械的薬剤送達装置の聴覚的な確認は、注入完了の正確なタイミングに対応しない場合があり、薬剤送達の進捗の表示について調整可能／カスタマイズ可能でない場合もある。
【課題を解決するための手段】
【０００５】
本発明の概要
本発明は、薬剤送達装置のための制御部に関する。薬剤送達装置は、薬剤容器と、プランジャロッドと、弾性部材とを備える。プランジャロッドは、薬剤を放出するための薬剤容器内の摺動可能なストッパと接触する。弾性部材は、薬剤の送達の際にプランジャロッドに力を加えるために用いられる。加えて、制御部は、弾性部材の誘導特性にしたがってプランジャロッドの送達ストロークの完了を検出するように構成される。
【０００６】
好ましくは、誘導特性は、薬剤の送達の間における弾性部材の周波数変動によって得られる。
【０００７】
好ましくは、周波数変動は、弾性部材を含むＬＣ回路に由来する共振周波数に関する。
好ましくは、弾性部材は、コイル形状であり、ＬＣ回路の誘導要素に相当する。
【０００８】
好ましくは、ＬＣ回路の共振周波数値のモニタリングが、薬剤の送達が始まるときに活性化され、共振周波数値は、プランジャロッドのストロークの完了を判定するために連続的にモニタリングされる。
【０００９】
好ましくは、プランジャロッドのストロークの完了は、共振周波数値が所定の周波数値と等しいまたは所定の周波数値よりも大きいことが検出されたときに判定される。
【００１０】
好ましくは、ＬＣ回路の単位時間当たりの共振周波数差のモニタリングが、薬剤の送達が始まるときに活性化され、単位時間当たりの共振周波数差は、プランジャロッドのストロークの完了まで連続的にモニタリングされる。
【００１１】
好ましくは、プランジャロッドのストロークの完了は、単位時間当たりの共振周波数差が実質的に０に等しくなるときに判定される。
【００１２】
好ましくは、制御部は、薬剤送達の進捗を示すためのインディケータを制御する。
好ましくは、制御部は、プランジャロッドのストロークの完了を示すためにインディケータへ信号を送るように構成され、インディケータは、所定の遅延時間後に薬剤の送達の完了を示すように構成される。
【００１３】
好ましくは、薬剤送達装置は、制御部および外部ユニットと通信するように構成される通信ユニットをさらに含む。
【００１４】
好ましくは、インディケータは、薬剤送達装置および／または外部ユニット内に配置される。
【００１５】
好ましくは、所定の遅延時間は、カスタマイズ可能である。
本発明によれば、提供される薬剤送達装置は、薬剤の送達の完了を正確に検出するようにカスタマイズ可能であり得、薬剤送達装置の制御部は、薬剤送達の進捗全体を示すインディケータを制御するように構成され得る。
【００１６】
本発明のさらなる構成および局面が、添付の図面を参照して以下の実施形態の詳細な説明から明らかになるだろう。
【００１７】
明細書の一部に含まれるまたは明細書の一部を構成する添付の図面は、本発明の例示の実施形態、構成、および局面を示し、説明とともに本発明の原理を解説するのに役立つ。
【図面の簡単な説明】
【００１８】
【図１】本発明の実施形態に係る、制御部と、インディケータと、通信ユニットとを有する初期状態における薬剤送達装置の断面図である。
【図２】本発明の実施形態に係る、弾性部材の誘導特性に基づいたプランジャロッドの送達ストロークの検出のための、図１の薬剤送達装置に設けられる例示の概略的なＬＣ回路を示す図である。
【図３】単位時間当たりの共振周波数差対弾性部材の長さのプロットを示す図である。
【図４】本発明の実施形態に係る、薬剤送達の進捗のいくつかの段階を示すために薬剤送達装置に設けられるインディケータを示す図である。
【図５】本発明の実施形態に係る、図１の薬剤送達装置に設けられる制御回路の機能ブロックダイアグラムである。
【発明を実施するための形態】
【００１９】
実施形態の説明
本発明の様々な例示の実施形態、構成、および局面が、図面を参照して、以下に詳細に説明される。以下の図面について、同様または類似の数字および記号は、同様または類似の要素を意味する。
【００２０】
図１は、本発明の実施形態に係る、制御部１１と、インディケータ１３と、通信ユニット１２とを有する初期状態における薬剤送達装置１の断面図である。図１を参照すると、薬剤送達装置１は、主に、薬剤容器８０と、プランジャロッド９０と、摺動可能なストッパ８３と、弾性部材９１とを含む。薬剤容器８０は、薬剤送達装置１内に配置され、薬剤を含む所定の体積を有する。プランジャロッド９０は、摺動可能なストッパ８３と接触する近位端部を有し、近位方向におけるプランジャロッド９０への力を加えるように適合される弾性部材９１を包み込む。摺動可能なストッパ８３は、薬剤を放出するために薬剤容器８０内に配置される。
【００２１】
加えて、薬剤送達装置１は、キャップ１０、管状活性化部材３０、ばね３４、針６１、および筐体部材（図示せず）をさらに含む。使用者がキャップ１０を取り外し、管状活性化部材３０を送達領域に対して（たとえば、使用者の腕の皮膚に対して）押すとき、ばね３４が圧縮され、針６１が侵入し、筐体部材が部品８０，９０，８３および９１と協働して自動注入を達成する。それと同時に、弾性部材９１は、薬剤の送達の際、プランジャロッド９０に力を加える。この自動注入の技術は、たとえば文献ＥＰ２５８３７１０Ａに既に提示されているため、この自動注入技術は本明細書では重ねて説明されない。
【００２２】
実施形態によれば、制御部１１は、プランジャロッド９０の送達ストロークの完了を検出するように構成またはプログラムされ得る。実施形態によれば、弾性部材９１は、コイル形状であってもよく、またはばねであってもよく、したがって弾性部材９１は、回路に設けられる間インダクタとして機能し得る、すなわち、弾性部材９１は、誘導特性を有する。実施形態によれば、制御部１１は、弾性部材９１の誘導特性にしたがってプランジャロッド９０の送達ストロークの完了を検出するように構成され得る。加えて、制御部９１は、プログラム可能または構成可能である任意の利用可能な制御部であってもよい。
【００２３】
図２は、本発明の実施形態に係る、弾性部材９１の誘導特性に基づいたプランジャロッド９０の送達ストロークの検出のための、図１の薬剤送達装置に設けられる例示の概略的なＬＣ回路１５を示す。図１および図２の両方を参照すると、弾性部材９１はインダクタとして機能し得るため、弾性部材９１は、インダクタンス・キャパシタンス（ＬＣ）回路の誘導要素に相当し得る。コンデンサＣ１には、弾性部材９１が設けられ繋げられてＬＣ回路１５を形成し得る。制御部１１は、ＬＣ回路１５に繋げられ得、ＬＣ回路１５に由来する共振周波数を検出し得る。共振周波数は、式：
【００２４】
【数１】
2019530534.tif 000003
【００２５】
から得られ得る。Ｌは弾性部材９１のインダクタンスを表し、ＣはコンデンサＣ１のキャパシタンスを表し、ｆは共振周波数を表す。
【００２６】
実施形態によれば、制御部１１は、ＬＣ回路１５の共振周波数値を常にモニタリングするように構成され得る。別の実施形態によれば、制御部１１は、薬剤の送達が始まるときにＬＣ回路１５の共振周波数値をモニタリングすることを開始し得る。すなわち、ＬＣ回路１５の共振周波数値をモニタリングすることは、使用者が薬剤送達装置の近位端部を押して薬剤を注入することを開始するときに、始動または活性化される。
【００２７】
本発明の実施形態によれば、制御部１１は、薬剤の送達の間に、ＬＣ回路１５の共振周波数値を連続的にモニタリングし得る。言い換えれば、制御部１１は、薬剤が注入されるとき、ＬＣ回路１５を検出し続ける。次に、制御部１１は、弾性部材９１の周波数変動に基づいて、プランジャロッド９０のストロークの完了を判定し得る。
【００２８】
図３は、単位時間当たりの共振周波数差対弾性部材９１の長さのプロットを示す。図１〜図３を参照すると、薬剤送達装置１が使用されていないまたは使用を始められていない間、弾性部材９１は予め張力をかけられた状態にある、すなわち弾性部材９１は長さＬ１で圧縮される。注入の間、プランジャロッド９０は解放され、弾性部材９１は摺動可能なストッパ８３に力を加えて動かすように長さを増加させ、薬剤を送達させる。プランジャロッド９０の送達ストロークの完了の際、弾性部材９１は弛緩を停止し、長さＬ２を有する。
【００２９】
本発明の実施形態によれば、弾性部材９１は、複数の螺旋状コイルを有する形状のコイルである。プランジャロッド９０が解放されるとき、弾性部材９１は、弛緩の際にＬ１からＬ２まで長さが変化し得る。それと同時に、弾性部材９１の各隣接するコイルの対は、ある距離だけ伸張し得、弾性部材９１のインダクタンス変動を生じさせる。結果として、各隣接するコイルの対の間の距離を増加させることは、ＬＣ回路１５の共振周波数を変化させるように弾性部材９１に由来するインダクタンスを低減させ得る。
【００３０】
本発明の実施形態によれば、コンデンサＣ１のキャパシタンスおよび長さＬ２を有する弛緩状態における弾性部材９１のインダクタンスによって、所定の周波数値が規定され得る。したがって、制御部１１は、共振周波数値が所定の周波数値と実質的に等しいまたは所定の周波数値よりも大きいことが検出されるとき、プランジャロッド９０のストロークの完了を判定し得る。
【００３１】
別の実施形態によれば、図３から、単位時間当たりの共振周波数差△ｆが弾性部材９１がＬ１からＬ２まで長さを変化させる期間内に変動することが観察され得る。よって、制御部１１は、薬剤の送達が始まるときに、ＬＣ回路１５の単位時間当たりの共振周波数差△ｆをモニタリングすることを開始し得る。次に、制御部１１は、プランジャロッド９０が移動し、かつ弾性部材９１が弛緩している間、単位時間当たりの共振周波数差△ｆをモニタリングし続け得る。結果として、単位時間当たりの共振周波数差△ｆが実質的に０に等しいことが検出される、すなわちＬＣ回路１５の共振周波数が変動することを停止して一定の値となる場合、制御部１１は、プランジャロッド９０のストロークの完了を判定し得る。
【００３２】
本発明の実施形態によれば、制御部１１は、インディケータに有線または無線で接続され得る。図１に示されるように、制御部１１は、薬剤送達装置１の薬剤送達の進捗を示すようにインディケータ１３を制御し得る。
【００３３】
本発明の実施形態によれば、インディケータ１３は、薬剤送達装置内に配置され得る。たとえば、制御部に有線で接続されるインディケータ１３は、限定ではないが、ＬＥＤ装置、振動装置、ブザーもしくはスピーカ、または人間にとって感知可能な任意の装置であり得る。
【００３４】
別の実施形態では、制御部１１に無線で接続されるインディケータ（図示せず）は、薬剤送達装置１の外部にあり得る。局面によれば、外部インディケータは、外部ブザーもしくはスピーカ、外部振動装置、または、外部ＬＥＤなどの単純な装置であり得る。別の局面によれば、外部インディケータは、携帯電話、スマートウォッチ、スマートブレスレットなどの外部電子装置であってもよい。しかしながら、本発明の外部インディケータは、上述された装置に限定されない。制御部１１から無線で表示信号を受信し得るあらゆる装置が、薬剤送達装置１のための外部インディケータとして用いられ得る。さらに、実施形態によれば、薬剤送達装置１は、制御部１１と通信するように、かつ外部ユニットと通信するように構成され得る通信ユニット１２（図１に図示）をさらに含んでもよい。この方法では、制御部１１は、通信ユニット１２を通して外部インディケータ（図示せず）に信号を送り得る。
【００３５】
図４は、本発明の実施形態に係る、薬剤送達の進捗のいくつかの段階を示すために薬剤送達装置１に設けられるインディケータ１３を示す。図４の薬剤送達装置は、使用者が見得る、図１の薬剤送達装置１の外観を示す。インディケータ１２は、たとえばＬＥＤ装置１２であり得る。
【００３６】
図４を参照すると、薬剤送達装置１は、初期段階においてはキャップで蓋をされる。キャップが取り外された後、ＬＥＤ装置１２は、薬剤送達装置１が使用できる状態であることを示すために、しばらくの間、発光し得る（使用可能状態の段階）。薬剤の送達が活性化された後、薬剤送達装置１のＬＥＤ装置１２は点滅を開始し得る。ＬＥＤ装置１２は、薬剤／用量の送達の間、点滅し続け得る（注入の段階）。薬剤送達装置１のプランジャロッド（図示せず）のストロークの完了が上述されたように判定されるまで、ＬＥＤ装置１２は遅延時間の間、点滅を停止するが、依然として発光し得る（時間遅延の段階）。ＬＥＤ装置１２は、遅延時間が過ぎて薬剤の送達の実際の完了を示した後、異なる色で発光し得る（終了の段階）。薬剤送達装置１が（たとえば、ヒトの体から）除去された後、ＬＥＤ装置１２は発光を停止し得る。
【００３７】
注入の段階に関して、注入時間は、薬剤送達装置１の電源（たとえば電池）、薬剤送達装置１のシリンジの特性（サイズまたは材料など）、薬剤／薬物の量、薬剤／薬物の粘度、薬剤送達装置１の針ゲージおよび／またはその組み合わせに依存し得る。したがって、注入時間の通常条件は、注入前に所定の範囲内で決定され得る。よって、薬剤送達装置１の制御部は、注入の失敗条件も決定し得る。たとえば、注入時間が短すぎる場合、薬剤送達装置１の制御部は、薬剤送達装置１が機能不全である（または動かなくなった）と判定し得る。他方、注入時間が長すぎる場合、薬剤送達装置１の制御部は、薬剤送達装置１のプランジャロッドが、たとえば摩耗によって非常にゆっくりと動いていると判定し得る。
【００３８】
遅延時間の段階について、プランジャロッドの送達ストロークが完了したとき、薬剤は通常、依然として送達されるため、薬剤の送達の完了は、プランジャロッドの送達ストロークが終了した後で起こり得る。よって、プランジャロッドの送達ストロークの完了と薬剤の送達の完了との間には潜在時間が存在する。言い換えれば、薬剤の送達の最終的な完了時間は、プランジャロッドの送達ストロークの完了時間プラス遅延時間に近似する。実施形態によれば、遅延時間は、人体（注入を受けるターゲットである）特性、薬剤パラメータ、薬剤送達装置の設計および／または外部条件に応じて予め決定され得る。たとえば、人体特性は、限定されないが、血圧、注入部位、注入温度、皮膚の圧力／抵抗、体脂肪率、水和条件、年齢などであり得る。薬剤パラメータは、限定されないが、粘度、投薬量などであり得る。薬剤装置の設計は、限定されないが、針ゲージ、針長さ、注入ばね力などであり得る。外部環境条件は、限定されないが、貯蔵温度などであり得る。したがって、所定の遅延時間は、各個々の注入環境下における各個々の人体についてカスタマイズ可能である。
【００３９】
図５は、本発明の実施形態に係る、図１の薬剤送達装置に設けられる制御回路５０の機能ブロックダイアグラムを示す。図５を参照すると、制御回路５０は、電源５６と、制御部１１と、検出部５７と、弾性部材（ばね）９１と、インディケータ（ＬＥＤ装置）１３とを含む。薬剤送達装置が電源オンである間、制御部１１はたとえば電池であり得る電源５６から電力を受容する。本発明の実施形態によれば、制御部１１は、弾性部材９１の誘導特性（共振周波数など）を検出するように検出部５７を制御し得、制御部１１は、弾性部材９１の誘導特性にしたがって薬剤送達装置の利用の進捗を示すようにインディケータ１３を制御してもよい。
【００４０】
要約すれば、本発明は、そのための制御部を備える薬剤送達装置を提供する。薬剤送達装置は、薬剤容器と、プランジャロッドと、弾性部材とを含む。薬剤送達装置の制御部は、弾性部材の誘導特性を感知してプランジャロッドの送達ストロークの完了を判定し、さらにカスタマイズ可能な遅延時間で薬剤の送達の完了を判定するように構成され得る。加えて、制御部は、薬剤の送達の進捗全体を示すためのインディケータも制御し得る。その結果、正確で、カスタマイズ可能で、より直感的に使い易い薬剤送達装置が達成される。
【００４１】
本明細書では特定の実施形態が示され説明されたが、様々な代替例および／または等価物の実施が、本発明の範囲から逸脱することなく、示され説明された特定の実施形態に代替され得ることが当業者によって理解されるだろう。この出願は、本明細書に説明された特定の実施形態のあらゆる適合物または変形物をカバーすることを意図される。したがって、この発明は、請求項およびその等価物によってのみ限定されることが意図される。
【図１】
2019530534.tif 000004
【図２】
2019530534.tif 000005
【図３】
2019530534.tif 000006
【図４】
2019530534.tif 000007
【図５】
2019530534.tif 000008
【国際調査報告】
2019530534.tif 000009
2019530534.tif 000010